Podtech/llm-jp-corpus-v4-ja_patent huggingface dataset:
(57)【要約】      （修正有）【課題】眼鏡フレームあるいは部品に宝石を固定するに当って、特に薄い金属板を使用した被取付物において、加工が複雑にならず宝石を安定的に固定することができる固定構造を提供する。【解決手段】眼鏡のフレーム１０、又は部品への宝石５０の固定構造であって、上部縁４１は内側に曲げられて宝石を固定する部分と、内側には宝石の安置部分４２と、外側にはフレーム又は部品表面への固定用突起部４３が設けられ、中部から下部はストレートなパイプ状の本体４４を有する宝石ケースが設けられ、そして、眼鏡フレーム又は部品表面には前記パイプ状の宝石ケースの外径に合う様に貫通孔３０又は有底孔が設けられ、前記パイプ中下部外側と、眼鏡フレーム又は部品の孔内側が溶着固定された事を特徴とする、眼鏡フレーム又は部品への宝石の固定構造【選択図】図２
0003147657.tif 000002
【実用新案登録請求の範囲】
【請求項１】
眼鏡のフレーム、又は部品への宝石の固定構造であって、上部縁は内側に曲げられて宝石を固定する部分と、内側には宝石の安置部分と、外側にはフレーム又は部品表面への固定用突起部が設けられ、中部から下部はストレートなパイプ状の本体を有する宝石ケースが設けられ、そして、眼鏡フレーム又は部品表面には前記パイプ状の宝石ケースの外径に合う様に貫通孔又は有底孔が設けられ、前記パイプ中下部外側と、眼鏡フレーム又は部品の孔内側が溶着固定された事を特徴とする、眼鏡フレーム又は部品への宝石の固定構造。
【請求項２】
前記眼鏡のフレーム、又は部品が薄い金属板よりなる事を特徴とする請求項１記載の眼鏡フレーム又は部品への宝石の固定構造。
【考案の詳細な説明】
【技術分野】
【０００１】  本考案は、眼鏡のフレーム又は部品への宝石の固定構造に関する。特に、薄い金属板を使用した眼鏡フレーム又は部品への宝石の固定構造に関する。
【背景技術】
【０００２】  一般的に眼鏡フレームと眼鏡のテンプルの表面側で眼鏡の高級さを向上させようと、例えば、実開平０４−９６７１１号の様に、金、銀、宝石を接着剤等により直接眼鏡フレームやテンプルに孔を穿設し固定した物が開示されている。【０００３】
【特許文献１】実開平０４−９６７１１号
【考案の開示】
【考案が解決しようとする課題】
【０００４】  上記実開平０４−９６７１１号の様に、眼鏡フレーム又は部品の表裏に径の異なった二種類の貫通孔を穿設し、宝石を内側より収め、更に筒体により内側から接着剤等で固着する構造となっている為、非常に複雑な構造となり、加工に手間が掛かる。又、眼鏡フレーム又は部品が、薄い金属板であると二種類の大小の径の貫通孔を設けることは困難である。又、接着剤で固定する事により、宝石の離脱が多く、その高級さに主眼を置いて購入した顧客の不満が多かった。
【課題を解決するための手段】
【０００５】上記課題を解決する為に、本考案では、薄い金属板からなる眼鏡のフレーム、又は部品への宝石の固定構造であって、上部縁は内側に曲げられて宝石を固定する部分と、内側には宝石の安置部分と、外側にはフレーム又は部品表面への固定用突起部が設けられ、中部から下部はストレートなパイプ状の本体を有する宝石ケースが設けられ、そして、眼鏡フレーム又は部品表面には前記パイプ状の宝石ケースの外径に合う様に貫通孔又は有底孔が設けられ、前記パイプ中下部外側と、眼鏡フレーム又は部品の孔内側が溶着固定された事を特徴とする、眼鏡フレーム又は部品への宝石の固定構造を提供する。
【考案の効果】
【０００６】  本考案の構造により、宝石の防犯を防ぐと共に、長時間使用や不注意による宝石の離脱が無くなった。又、薄い金属板のフレームや部品に於いてもしっかりと宝石類を固定する事が可能となり、眼鏡フレームや部品に対する加工も複雑にならず、フレーム、部品を傷物にして廃棄する事も少なくなった。
【考案を実施するための最良の形態】
【０００７】  以下図により、本考案を説明するが、本考案は以下の実施例又は実施図により限定される物ではなく、本請求の範囲により決定される。
【実施例１】
【０００８】  図１は本考案の望ましい宝石固定構造を取り付けた眼鏡の要部斜視図であり、図２は、本考案の宝石の固定構造用の宝石ケースが、眼鏡フレームに挿入される状態の断面図であり、図３は、Ａ−Ａ拡大断面図であり、本考案の宝石の固定構造用の宝石ケースが組み付けられた状態の断面図である。【０００９】  先ず、眼鏡フレーム１０又はテンプル２０等に宝石ケース用の適合貫通孔３０を穿設する。【００１０】  次に、宝石用ケース４０をパイプにより加工する。具体的には、該パイプの上部縁４１は内側に曲げられて宝石５０を外れない様にしっかり固定する部分と、そしてパイプ内側には宝石５０の安置部分４２と、外側にはフレーム又は部品表面１１への固定用突起部４３が設けられ、中部から下部はストレートなパイプ状の本体４４を有する様に加工される。【００１１】  そして宝石５０が嵌められて、上部縁４１がカシメられて装飾体６０となる。【００１２】  そしてその装飾体６０を前記眼鏡フレーム１０又はテンプル（部品）２０等の適合貫通孔３０に表面側１１から嵌合し、溶着固定させる。ここで溶着はロウ付けで良く、前記眼鏡フレームや部品が薄い板状であってもしっかり固着する。【００１３】  前記宝石用ケースとして使用されるパイプは円筒形でも多角形状でも良く、その他の星形や任意の形状でも良い。【００１４】  又、前記パイプの宝石５０を固定する上部縁４１は、ベンディング専用工具で簡単にカシメ宝石等を動かない様にしっかり固定する事が出来る。【００１５】  前記眼鏡フレーム１０やテンプル（部品）２０等がロウ付けがし難いチタン合金等であっても、前記宝石ケース用のパイプを金、銀、等の材質にする事によりロウ付け固着がしっかり出来る事となる。そして、高価な宝石の離脱等が防げる事となる。【００１６】  勿論、上記宝石ケース４０は予め製作しておける事が可能で、そうする事により、組立作業が簡単に素早く行うことが可能となる。【００１７】  本考案の様な構造を採る事により、例え薄い金属製のフレームや部品であっても、高価な宝石等の宝飾物を固定して置く事が可能で、宝石だけの盗難も少なくなり、不注意な離脱も無くなった。
【産業上の利用可能性】
【００１８】  眼鏡と宝石とのコラボレーションがもっと盛んになり、眼鏡のデザインの幅も、宝石の使用頻度も高くなり、両方の産業の相乗効果が期待出来る。
【図面の簡単な説明】
【００１９】
【図１】本考案の宝石構造を取り付けた眼鏡の要部斜視図
【図２】本考案の宝石取り付け前の分解断面図
【図３】図１のＡ−Ａ断面図（宝石取付後の）
【符号の説明】
１０、          眼鏡
１１、          眼鏡フレーム又は部品の表面側
１２、          眼鏡フレーム又は部品の裏面側
２０、          テンプル（部品）
３０、          貫通孔
４０、          宝石ケース
４１、          宝石ケース（パイプ）上部縁
４２、          宝石安置部
４３、          宝石ケース外側突起部
４４、          パイプ本体
５０、          宝石（宝飾物）
６０、          装飾体
【図１】
0003147657.tif 000003
【図２】
0003147657.tif 000004
【図３】
0003147657.tif 000005
(57)【要約】      （修正有）【課題】安価で簡単な構造で誰でも使用できる対面式二人掛け椅子を提供する。【解決手段】対面式二人掛け椅子１は、人が二人着席可能で振動可能な座面２に対して、角度調整機構５を有する背もたれ３を座る人同士が対面可能に向き合えるように配置し、背もたれ３と座面２には背もたれ同士を近づけたり離したり移動可能にする機構を設け、一方の背もたれ３側の座面上に取り外し可能に人が着席するためのクッション９を備えたことを特徴とする。また、クッション９は略コ字状に二つの先端部とその接続部を有し、両先端部は先へ行くほど近接するようにするとともに接続部の幅を両先端部の幅より大きくしている。【選択図】図１
0003147651.tif 000002
【実用新案登録請求の範囲】
【請求項１】
人が二人着席可能で振動可能な座面に対して、角度調整機構を有する背もたれを座る人同士が対面可能に向き合えるように配置し、背もたれと座面には背もたれ同士を近づけたり離したり移動可能にする機構を設け、一方の背もたれ側の座面上に取り外し可能に人が着席するためのクッションを備えたことを特徴とする対面式二人掛け椅子。
【請求項２】
クッションは略コ字状に二つの先端部とその接続部を有し、両先端部は先へ行くほど近接するようにするとともに接続部の幅を両先端部の幅より大きくしたことを特徴とする請求項１記載の対面式二人掛け椅子。
【考案の詳細な説明】
【技術分野】
【０００１】  本考案は、角度調整可能で対向する距離を調整できる背もたれ同士を向かい合わせにした対面式二人掛け椅子に関する。
【背景技術】
【０００２】  従来は特開平８−２２４２７４号、特開平８−８３４号のような構成の対面式の二対の椅子や意匠登録第１１８０８８５号のような形状を有する椅子が存在していた。これらは構造が複雑で電気仕掛けにより高価であったり、遊戯施設に供するようなもので手軽に購入し個人が扱えるものではなかった。
【考案の開示】
【考案が解決しようとする課題】
【０００３】  前記の開示された対面式の椅子の複雑、高価な問題点を解消し、家庭内で電気の力を借りずに使用者の操作で手軽に扱えるように工夫した対面式二人掛け椅子を提供することにある。
【課題を解決するための手段】
【０００４】  上記課題を解決するために、本考案の対面式二人掛け椅子は、人が二人着席可能で振動可能な座面に対して、角度調整機構を有する背もたれを座る人同士が対面可能に向き合えるように配置し、背もたれと座面には背もたれ同士を近づけたり離したり移動可能にする機構を設け、一方の背もたれ側の座面上に取り外し可能に人が着席するためのクッションを備えたことを特徴とする。また、クッションは略コ字状に二つの先端部とその接続部を有し、両先端部は先へ行くほど近接するようにするとともに接続部の幅を両先端部の幅より大きくしたことにより問題点を解決している。
【考案の効果】
【０００５】  本考案に係る対面式二人掛け椅子によれば、座る人同士の体型に合わせて距離を調整できるとともに背もたれの角度を変えることができ、また、クッションにより互いに足が当たることなく接近して座ることができる。また、上下に振動するため遊具として楽しむことができる。
【考案を実施するための最良の形態】
【０００６】  以下、本考案に係る対面式二人掛け椅子の好適実施の形態を図面に基づいて説明する。図１は、本考案に係る対面式二人掛け椅子１の正面図、図２は、図１のＡ−Ａ断面図、図３は、本考案に係る対面式二人掛け椅子１の上から見た図である。対面式二人掛け椅子１は長尺の座面２に背もたれ３が向かい合うように前後に移動可能に取り付けられている。また、座面２には背もたれ３を支えるストッパー４が前後に移動可能に取り付けられている。図６のようにストッパー４の下面に設けた二つの凸部１７を図３の座面２に設けた穴列１８の何れかに嵌めることにより固定されるが、その位置を変えることにより背もたれ３の傾きを変えられる角度調整機構５になる。背もたれ３は座面下段部６の複数の位置決め用切り掛け７に対してその何れかに背もたれ３のバー８を差し込むことにより固定されるが、その場所を変えることにより前後に移動可能にする機構１９になり座る人の体型に合わせることができる。【０００７】  二人が座る場合、例えば男女なら女性がクッション９側にすわり、男性はその対面に座ることになる。クッション９によりそれぞれの足が当たることはない。また、背もたれ３には肘掛１０が取り付けてあり、適宜、使用してもよい。【０００８】  座面２の中心部には座面２が振動可能にばね１１が座面下段部６との間に取り付けてある。また、図４のように座面２の支持部１２は点受けにして座面２のしなりに対応できるようにしてある。例えば、親子で座るような場合、二人で座りながら跳ねると、ばね１１の反動により周期の短い振動が得られる。【０００９】  クッション９は図５のように二つの先端部１３、１４とその接続部１５とからなり、両先端部１３，１４は先へ行くほど近接し、接続部１５は両先端部１３，１４より幅が広くなっている。また、座面への取り付けのための紐１６がクッション９に取り付けてある。
【図面の簡単な説明】
【００１０】
【図１】本考案の対面式二人褂け椅子の実施例を示す正面図である。
【図２】本考案の対面式二人掛け椅子の実施例を示す図１のＡ−Ａ断面図である。
【図３】本考案の対面式二人掛け椅子の実施例を示す上から見た図である。
【図４】座面支持部の拡大図である。
【図５】座面に取り付けるクッションの上から見た図である。
【図６】ストッパー凸部の拡大図である。
【符号の説明】
【００１１】１  対面式二人掛け椅子
２  座面
３  背もたれ
４  ストッパー
５  角度調整機構
６  座面下段部
７  位置決め用切り掛け
８  バー
９  クッション
１０  肘掛
１１  ばね
１２  支持部
１３  先端部
１４  先端部
１５  接続部
１６  紐
１７  凸部
１８  穴列
１９  前後に移動可能にする機構
【図１】
0003147651.tif 000003
【図２】
0003147651.tif 000004
【図３】
0003147651.tif 000005
【図４】
0003147651.tif 000006
【図５】
0003147651.tif 000007
【図６】
0003147651.tif 000008
(57)【要約】      （修正有）【課題】防雨面積の広い傘を、折り畳み収納可能にし、自転車に常備する自転車用傘を提供する。【解決手段】曲がり性の良い板状で中心と両端部に連結用孔をもつ部材を、ピン１ａにて中心と中心、端部と端部を連結した主骨１と、端部連結部より、互いに向かい合う方向に出した枝骨２とにより、主骨１を伸ばすと枝骨２も左右に広がりドーム状の透明な防雨布６を支える。防雨布６と骨材を、常時サドル後方の収納箱５に収め、雨天時に収納箱５より引き出し、運転者の頭上を越えハンドル前部に係止し、運転者の上半身を覆う。【選択図】図１
0003147653.tif 000002
【実用新案登録請求の範囲】
【請求項１】
中心と両端部近くに孔部を持つ板状の部材を、二枚一組で、前記部材の中心と中心の孔部をピン結合し、かつ前記ピン結合された組みと組みの端部と端部の孔部を、互いにピン連結し組み合わせ部材とし、全てのピンを軸とし、前記組み合わせ部材の連結体がてこで連動を起こし、該全長が伸縮可能となる主骨部と、前記端部の孔部に重ねてピン結合され、前記主骨部の伸縮方向に対して、右端は左方向に、左端は右方向に向けて取り付けられた枝骨材と、により略ドーム状の防雨布を支え、前記主骨材を伸縮することにより前記防雨布が開閉する傘部と、サドル後部の収納ケースと、ハンドル前部の主骨先端取り付け用ステーとにより前記傘部が前記サドル後部の収納ケースより運転者の頭上を通り前記ハンドル前部の主骨先端取り付け用ステーのまで覆い、折り畳み時は前記収納ケースに収納できる自転車用傘。
【考案の詳細な説明】
【技術分野】
【０００１】本考案は自転車に装備された自転車用の傘に関するものである。
【背景技術】
【０００２】雨天時に自転車に乗るには、合羽を着るか歩行者用傘を利用するしかなかった。
【考案の開示】
【考案が解決しようとする課題】
【０００３】合羽は着脱に時間がかかり気温が高い時は内部が汗で濡れ、走行時は顔も濡れるので、きわめて不愉快である。また、歩行者用傘は面積が少なく自転車用には適さない。
したがって防雨面積が広い傘で自転車に常時装備され突然の雨にも対応できる事が、課題である。
【課題を解決するための手段】
【０００４】本考案は上記課題の防雨面積を広くし、かつ折り畳み収納可能にするために、主骨の構造を、中心と両端部近くに孔を持つ板状の部材を二枚一組で、その部材の中心と中心の孔をピン結合し、かつピン結合された組みと組みの端部と端部の孔を互いにピンで連結し、全てのピンを軸とし組み合わせ部材の連結体がてこで連動を起こし、その全長が伸縮可能となる主骨部と、両端連結部に重ねてピン結合され、主骨部の伸縮方向に対して右端は左方向に左端は右方向に向けて取り付けられた枝骨材と、により略ドーム状の防雨布を支え、主骨材を伸縮することにより防雨布が開閉する傘で、自転車のサドル後部より運転者の頭上を通りハンドル前部まで覆い、折り畳み時はサドル後方に収納できる傘を用いることにより問題を解決できる。
【考案の効果】
【０００５】上記のように本考案の自転車用傘は主骨が一定の長さの部材を、ピンで組み立ててあることにより伸縮の比率が大きくサドル後部の収納ケースより運転者の頭上を通りハンドル前部までの長さを得て、かつ枝骨は主骨が伸びるに従い左右に広がる機能を持っているので操作し良い。主骨と枝骨固定は防雨布の張力と収納箱上部のストッパーと主骨先端固定で可能である。【０００６】また運転者の上半身を覆う広い傘部と自転車に常設されている事により突然の雨や強い雨にも対応でき、また自転車重量に比べ、傘や収納部の重量は軽く晴天時の運転負担にならない。
【考案を実施するための最良の形態】
【０００７】主骨と枝骨の部材は防雨布に密着する様に曲がり性の良い材料を用いる。枝骨の長さを防雨布に合わせ、収納に支障のある場合は折り畳み用節をつける。防雨布は透明で視界を良くする。収納部はサドル後方の荷台の上に取り付け、普段は水平に置き使用時に立てて上部より傘を引き出し傘の先端をハンドル前部の取り付け用ステーにピン固定しさらに主骨を押し上げ防雨布が張った所で主骨を収納箱に取り付けられたストッパーにて固定する。この収納箱が主骨を安定させる役をする。
【実施例】
【０００８】以下添付図面に従って一実施例を説明する。
１は主骨である、ピン１ａによって自由に伸縮する。２は枝骨である、１の主骨の端部連結ピンに重複結合され互いに向き合う方向に取り付けられている、２ａは折り畳み用節で傘の上向きのみに曲がる様になっている。３は主骨先端でハンドル前部の取り付け用ステーに止めて傘を固定する。４は主骨先端取り付け用ステーで、ハンドル回転に影響ない様にフレームに常時固定されている。かごなどが取り付けられている場合、ハンドルを迂回して４ａの様に取り付ける。５は収納箱でヒンジ６により後輪上に横に取り付けてあり使用時に起こして傘を引き出す。収納箱蓋にストッパー５ａを設備してあり傘を広げた時点で主骨を固定する。
【図面の簡単な説明】
【０００９】
【図１】部材の拡大図である。
【図２】自転車に傘を取り付けた状態である。
【記号の説明】
【００１０】１    主骨
１ａ  ピン
２    枝骨
２ａ  折り曲げ用節
３    主骨先端
４    主骨先端取り付け用ステー
５    収納箱
５ａ  主骨用ストッパー
６    防雨布
【図１】
0003147653.tif 000003
【図２】
0003147653.tif 000004
(57)【要約】      （修正有）【課題】投球コースを投げ分けることができ、また、球の回転の向き（無回転を含む）によって球の進行方向を意図した方向に変化させることができる野球ゲーム盤用ピッチング装置を提供する。【解決手段】ピッチング装置の野球ゲーム盤本体への取り付けは半固定式で、球通路先端部を支点として、守備側遊技者が手もとの球打ち出し機構部を左右にスライドさせることで球通路の向きを変え、球を内外角に投げ分けることができる。球打ち出し機構の球をセットする部分は、セットした球の上部を守備側遊技者が指の腹で擦ったり、あるいはモーターなどの回転機構を使うなどして、球に任意の向きの回転を与えられるようになっている。球にあらかじめ回転を与えた状態で打ち出すことで、球通路を通ってゲーム盤上に投じられた球は、カーブ、シュートなどの球道の変化を生ずることになる。【選択図】図１
0003147655.tif 000002
【実用新案登録請求の範囲】
【請求項１】
球打ち出し機構と、それによって打ち出された球を野球ゲーム盤上の投球口に導いてホームベース方向へと投ずるための球通路からなる野球ゲーム盤用ピッチング装置。
【請求項２】
球通路の向きを変えることで投球コースを任意に変えることが可能な構造を有する請求項１記載の野球ゲーム盤用ピッチング装置。
【請求項３】
投球のためにセットした球をあらかじめ任意の向きに回転させた状態で打ち出すことが可能な請求項１又は請求項２記載の野球ゲーム盤用ピッチング装置。
【考案の詳細な説明】
【考案の開示】
【考案が解決しようとする課題】
【０００１】従来の野球ゲーム盤のピッチング装置では、投球コースをねらい通りに変えることが困難で、実際の野球におけるピッチングの重要な要素である内外角への意図的な投げ分けができなかった。
また、変化球の発生原理が球の回転によるものではなく盤面下に設けた磁石の吸引力によるものであることから、球の変化が唐突で必然性がなく、実際の野球におけるような、投球途中で変化球の球道を判断してバットをコントロールする面白みが無かった。
野球ゲーム盤における投打の対決の面白みを増すためには、投球コースを投げ分けることができ、また、球の回転の向き（無回転を含む）によって球の進行方向を意図した方向に変化させることができるピッチング装置が必要である。
【課題を解決するための手段】
【０００２】ピッチング機構は、球打ち出し機構と球通路が一体化したもので、守備側遊技者の手もとの球打ち出し機構から打ち出された球が球通路を進み、ゲーム盤面の投球口からホームベース方向めがけて転がり進むようになっている。
ピッチング装置の野球ゲーム盤本体への取り付けは半固定式で、球通路先端部を支点として、守備側遊技者が手もとの球打ち出し機構部を左右にスライドさせることで球通路の向きを変え、球を内外角に投げ分けることができる。
球打ち出し機構の球をセットする部分は、セットした球の上部を守備側遊技者が指の腹で擦ったり、あるいはモーターなどの回転機構を使うなどして、球に任意の向きの回転を与えられるようになっている。球にあらかじめ回転を与えた状態で打ち出すことで、球通路を通ってゲーム盤上に投じられた球は、カーブ、シュートなどの球道の変化を生ずることになる。なお、球通路においては、球は球脱落防止ガイド壁によって強制的に直進する。
【考案の効果】
【０００３】守備側遊技者が意図的に投球コースを投げ分けられることと、変化球における球道の変化がゲーム盤面を転がる球の回転具合によって生ずることから、実際の野球におけるような投球の組み立てが可能になり、従来の野球ゲーム盤には乏しかった、投打の駆け引きの醍醐味が実現することになる。
【図面の簡単な説明】
【０００４】
【図１】ピッチング装置の形状を示した外観イメージ図である。
【図２】ピッチング装置と野球ゲーム盤本体との位置関係を示した断面図である。
【図３】ピッチング装置にセットした球を指の腹で擦り回転を与える要領を示した図である。
【符号の説明】
【０００５】１  球打ち出し機構
２  球通路
３  ピッチング装置スライド支点
４  球脱落防止ガイド壁
【図１】
0003147655.tif 000003
【図２】
0003147655.tif 000004
【図３】
0003147655.tif 000005
(57)【要約】      （修正有）【課題】野球ゲーム盤においても、実際の野球におけるような守備の醍醐味が味わえるようにした野球ゲーム盤用捕球器を提供する。【解決手段】野球ゲーム盤上を転がってくる打球をキャッチし確保することでアウトにする捕球器を考案した。捕球器は一側面に開口部をもつ中空の器で、内部にポケット状の構造を有し、開口部から飛び込んだ打球を捕球、確保する。捕球器は実際の野球における野手に相当し、守備側遊技者が複数の捕球器を野球ゲーム盤上の好きな位置に配置できる。【選択図】図１
0003147656.tif 000002
【実用新案登録請求の範囲】
【請求項１】
内部が中空で、打球を捕球するための開口部を有する野球ゲーム盤用捕球器。
【請求項２】
捕球した球が開口部から再び外部に出ていかないように確保するためのポケット状の構造を内部に有する請求項１記載の野球ゲーム盤用捕球器。
【考案の詳細な説明】
【考案の開示】
【考案が解決しようとする課題】
【０００１】従来の野球ゲーム盤では、野手の守備の成否（アウトかヒットか）は、ゲーム盤上に設けられた、それぞれアウトかヒットかに性格付けされた複数のポケットのいずれに球が落ちるかによって決定されるため、実際の野球では重要な「守備の巧拙」という要素は、野球ゲーム盤の楽しみとしては存在しなかった。
野球ゲーム盤においても、実際の野球における守備の醍醐味が味わえるようにするためには、実際に球をキャッチすることによりアウトをとるしくみが必要である。
【課題を解決するための手段】
【０００２】実際の野球におけるような守備の醍醐味を実現するために、野球ゲーム盤上を勢いよく転がってくる打球を実際にキャッチすることでアウトにする捕球器を考案した。捕球器は一側面に開口部をもつ中空の器である。中空の内部にポケット状の構造を設けることで、開口部から飛び込んだ打球をより確実に捕球することができる。球を捕球器内に確保できればアウト、確保しきれずに球が開口部から外に出てしまったな場合はエラーである。
捕球器は実際の野球における野手に相当し、複数の捕球器を守備側遊技者が好きな位置に配置できる。
【考案の効果】
【０００３】捕球器が打球の勢いで飛ばされたり転がったりしながらも開口部から入った球をしっかりと確保して落とさなかった場合は「ファインプレー」、打球が捕球器に当たりはしたものの開口部からそれたために捕球できなかった場合は「強襲ヒット」、捕球器内部にいったん入った球が再び出てしまった場合は「エラー」といった具合に、実際の野球におけるのと同じような守備の面白さや興奮を味わうことができる。また、捕球器は守備側遊技者が野球ゲーム盤上の自由な位置に配置できるので、たとえば投球の仕方で打球を野球ゲーム盤上の或る方向に誘導する意図のもと、その方向に重点的に捕球器を配置しておくといった具合に、投球プランと連動させて守備体系を組むこともできる。これは、従来の野球ゲーム盤では再現できなかった、より高度な野球の楽しみである。
【図面の簡単な説明】
【０００４】
【図１】捕球器の全体イメージと、開口部および内部のポケット構造を示した図である。
【図２】開口部から飛び込んだ球が、ポケット構造により捕球器内に確保される様子を示した図である。
【符号の説明】
【０００５】１  開口部
２  ポケット構造
【図１】
0003147656.tif 000003
【図２】
0003147656.tif 000004
(57)【要約】      （修正有）【課題】複数に分かれた被覆体を持つヘアカーラーを提供する。【解決手段】被覆体２の一部を切りとり、切りとった所３に別の被覆体４をはめこんでロール体１を被覆する。被覆体４が被覆され、複数の色を１つのヘアカーラーに実現できる。従来の単色のヘアカーラーと違って、被覆体をカラフルにすることにより、多用なデザインを表現でき、ヘアカーラーに文字、マークをはめ込む事により、宣伝効果、キャラクター商品を作り出す事もできる。【選択図】図２
0003147652.tif 000002
【実用新案登録請求の範囲】
【請求項１】
ロール体（１）とロール体（１）を覆う被覆体（２）からなるヘアカーラーで、被覆体が複数の断片で構成されているカーラー
【考案の詳細な説明】
【技術分野】
【０００１】本考案は頭髪を巻いてカールさせるためのヘアカーラーに関するものである。
【背景技術】
【０００２】従来のヘアカーラーは［図１］のようにロール体（１）と単一単色の被覆体（２）で被覆されている。
【考案の開示】
【考案が解決しようとする課題】
【０００３】従来のヘアカーラーは［図１］のように単一単色の被覆体（２）で、できているので、色の変化に乏しく、デザインもない。
【課題を解決するための手段】
【０００４】［図２］のように被覆体（２）の一部を切り取り、切り取った所（３）に別の被覆体（４）をはめ込んで、ロール体（１）を被覆する。
【考案の効果】
【０００５】［図３］のようにヘアカーラーに被覆体（２）とは別に被覆体（４）が被覆され、複数の色を１つのヘアカーラーに実現できる。
【実施例】
【０００６】［図３］のように、ヘアカーラーの被覆体（２）とは別に被覆体（４）が被覆されて、１つのヘアカーラーに複数の色を実現している。
【産業上の利用可能性】
【０００７】［図３］のように従来の単色のヘアカーラーと違って、被覆体をカラフルにすることにより、多用なデザインを表現できる。【０００８】ヘアカーラーに文字、マークをはめ込む事により、宣伝効果、キャラクター商品を作り出す事ができる。
【図面の簡単な説明】
【０００９】
【図１】通常のヘアカーラーの斜視図である。
【図２】ヘアカーラーに複数の被覆体とつける方法を示す。
【図３】ヘアカーラーに複数の被覆体をつけたもの。
【図１】
0003147652.tif 000003
【図２】
0003147652.tif 000004
【図３】
0003147652.tif 000005
(57)【要約】      （修正有）【課題】組立と分解が容易にできる組み立て式の棚を提供する。【解決手段】枠型１柱内側の横柱上部に棚板２四か所の切り込みを組み込ませる。又、分解するには、棚板２を取り付けた枠型から外せば、すぐに分解できる。分解した棚板２、と枠柱型１を収納するには、少ないスペースでこれらを収納することができる。【選択図】図６
0003147627.tif 000002
【実用新案登録請求の範囲】
【請求項１】
多目的棚、組み立て簡単で執ような時に即座にその場で組み立てられ、終れば即座に分解出来る、この棚は二つの枠に棚板を組み込むだけで即座に棚が完成する
【考案の詳細な説明】
【技術分野】
【０００１】  本考案は、組立容易で執拗な棚を作る事に関するものである。
【背景技術】
【０００２】  本考案は、組み立て簡単、学校、幼稚園、等において各行事等で大勢の来客によって靴、下足等を収納スペースが欲しい場合に役立ちます
【考案の開示】
【考案が解決しようとする課題】
【０００３】  この棚は２段から出来、用途に合わせて３段から５段、６段と枠柱を作ることにより収納スペースを増やせます、尚、各行事に大勢の来客にも履物が収納出来るので下足が玄関に散らかる事を防ぎます。又、２段、３段位の低い組立て棚は現状の低い下駄箱（幼稚園用等）の上に乗せて使うことが出来るので、場所を取らずに収納スペースを確保できます、
【考案の効果】
【０００４】  この棚は、即座に組み立てられ、即座に分解が出来、移動するのに容易で分解したあと収納して置くスペースにも場所取らない
【考案の実施するための最良の形態】
【０００５】    この棚は、組立た状態がいろいろなサイズに、棚板が作れるので、どんな場所にでも合わせて作ることができる、
【実施例】
【０００６】  この棚の、材質はスチール、アルミ、木、ステンレース、プラスチック等なんにでも自在に作る事が可能なので、用途に合わせて素材選びが出来る、この棚は、段お自由に調節する事によって長いブーツから短いスニーカーに至るまで、自在に収納できる【０００７】  この棚は、従来下駄箱のような箱型の形に比べて外枠がないのでコストを下げる他、重量を軽減する効果があります、また、周りの景観を損ねる事なく溶け込める利点があります
【図面の簡単な説明】
【０００８】
【図１】本考案の多目的組み立て棚の実施例を示す正面図である。
【図２】本組立て棚の上から見た実施例を示す図です。
【図３】本組立て棚の実施例を示す横からの枠柱と枠板結合内部の図面である。
【図４】本組立て棚の実施例を示す横からの図面である。
【図５】本組立て棚の実施例を組み立てていく過程の図面である。
【図６】本組立て棚の立体図面である。
【符号の説明】
【０００９】１  棚の枠柱
２  棚板
【図１】
0003147627.tif 000003
【図２】
0003147627.tif 000004
【図３】
0003147627.tif 000005
【図４】
0003147627.tif 000006
【図５】
0003147627.tif 000007
【図６】
0003147627.tif 000008
【手続補正書】
【提出日】平成20年10月8日(2008.10.8)
【手続補正１】
【補正対象書類名】実用新案登録請求の範囲
【補正対象項目名】全文
【補正方法】変更
【補正の内容】
【実用新案登録請求の範囲】
【請求項１】
棚板を載せる枠柱であって用途に合った段数からなる枠柱と、四ヵ所に切り込みの入った棚板であって用途に合った枚数とを組み合わせて完成させる、多目的組み立棚。
(57)【要約】      （修正有）【課題】資源の削減と従来の屋根葺き工事において人件費の削減をはかり又量産することに依り低価格で提供できるので経済的効果に役立つ屋根葺材を提供する。【解決の手段】下地材１に一定の長さに切断された複数の茅材３を一定の角度に接着してなることを特徴とする。下地材として例えばスレート板、ベニヤ板、金属板等を使用することもできる。２は接着材である。３は一定の長さに切断された複数の茅材で一定の角度（例えば７０°〜３０°）に設定される。尚、茅材層として、例えば、プラスチック、金属等人工的素材で作ることもできる。【選択図】図１
0003147630.tif 000002
【実用新案登録請求の範囲】
【請求項１】
下地材に一定の長さに切断された複数の茅材を一定角度に接着してなることを特徴とする屋根葺材。
【請求項２】
前記下地材がスレート板であることを特徴とする請求項１記載の屋根葺材。
【考案の詳細な説明】
【技術分野】
【０００１】  本考案は、屋根葺材に関するものである。
【背景技術】
【０００２】  純日本建築の民族的伝統的な屋根として茅葺きが行われていた。
【考案の開示】
【考案が解決しようとする課題】
【０００３】  従来、茅葺きを施工するには、莫大な人件費と、材料の収集に費用を要した。
その結果コスト高となり需要者の負担増となっており、また工期も長きも要した。
【課題を解決するための手段】
【０００４】  本考案は、上記課題を解決するために下地に一定の長さに切断された複数の茅材を一定の角度に接着にてなせることを特徴とすることに依って屋根を葺くことができる。
【考案の効果】
【０００５】  本考案に依り一括生産することで工期の短縮と資源の削減がはかられると共に経済的にも社会に貢献することができるのである。尚、外観的にも自然の茅葺き屋根の色彩を保つことができる上、低価格で提供できるので、一石二鳥の効果がある。
純日本建築の民俗的、また伝統的な屋根材としてよく調和するのである。雪国における在来家屋や神社伝閣の屋根葺き替え等、海外に於いてもその用途は多用である。
【考案を実施するための最良の形態】
【０００６】  本考案を図１に基づいて説明する。
図１において、１は下地材である。下地材として例えばスレート板、ベニヤ板、金属板等を使用することもできる。
２は接着材である。３は一定の長さに切断された複数の茅材で一定の角度（例えば７０°〜３０°）に設定される。尚、茅材層として、例えば、プラスチック、金属等人工的素材で作ることもできる。【０００７】  図２（イ）は切妻造図である。図２（ロ）は奇棟造図である。
６は矩形のブロックの例であり、７は屋根の形状に応じた形、例えば（ロ）では三角形のブロック例である。
【図面の簡単な説明】
【０００８】
【図１】本考案の屋根茅材の実施例を示す図である。（イ）は断面図である。（ロ）は斜視図である。
【図２】本考案の屋根葺材を複数屋根に葺いてなる姿図である。（イ）は切妻造図（ロ）は奇棟造図の例である。
【符号の説明】
【０００９】１  下地材
２  接着剤
３  茅材層
４  屋根野地
５  小屋束
６  屋根葺材のブロック
７  三角形のブロック
【図１】
0003147630.tif 000003
【図２】
0003147630.tif 000004
(57)【要約】      （修正有）【課題】地震時に周辺地盤が液状化し、自重を超える浮力が生じて浮き上がるのを防止するマンホール浮き上がり防止構造を提供する。【解決手段】舗装の上層路盤の下面に平面形状が長方形で、中心部にマンホール外壁径より大きい径の円孔をもつコンクリート押さえ版を、マンホール斜壁体を挿通して設置する。地震時の浮き上がり力に対しては表層舗装・路盤とコンクリート押さえ版の自重により抑止する。マンホールとコンクリート押さえ版との隙間には充填材を注入する。地震時には充填材は剛に作用し、周辺地盤の沈下に対しては柔軟に作用するのでマンホールに過大な荷重は働かない。【選択図】図１
0003147626.tif 000002
【実用新案登録請求の範囲】
【請求項１】
平面形状が長方形で，斜壁管の最小径よりも大きく最大径よりも小さな直径の円孔を中心部に有するコンクリート押さえ版が，マンホール斜壁管の上部から挿通されて斜壁管の中間部に装着され，コンクリート押さえ版とマンホール斜壁管の間隙にアスファルト充填材が充填され，コンクリート押さえ版の上面に上層路盤及び表層舗装されてなることを特徴とするマンホール浮き上がり防止構造
【請求項２】
コンクリート押さえ版を短辺方向で二分割して現地にて連結板で一体化されることを特徴とする請求項１記載のマンホール浮き上がり防止構造
【請求項３】
コンクリート押さえ版の側壁面に突起を有して，下層路盤となることを特徴とする請求項１記載のコンクリート押さえ版
【考案の詳細な説明】
【技術分野】
【０００１】  本考案は、下水道マンホールが地震時に周辺地盤が液状化し自重を超える浮力を生じて、浮き上がるのを防止するための構造に関するものである。
【背景技術】
【０００２】  下水道マンホールは、管渠の維持管理、管渠の段差・勾配・方向転換等のため用いられる。最近各地の地震被害でマンホールの浮き上がりが多発している。このため、管渠が逆勾配となり下水道の機能が失われ，また路面が盛り上がり交通障害が生じている。この原因は、マンホールの周辺地盤が砂層で地下水位が高い場合、地震動により砂層が液状化して自重を上回る浮力が生じるためである。
この対策として、マンホールの自重増加、窄孔ボルト・鋼棒等により非液状化層にアンカーする方法などがあるが、構造、施工性、安全性等に課題があり更なる検討が必要である。
【考案の開示】
【考案が解決しようとする課題】
【０００３】  既設マンホールの浮き上がり防止方法として、１）マンホール自重を大きくする  ２）マンホール周辺地盤を砕石等で入れ替え、または地盤改良して液状化を防ぐ  ３）マンホールにアンカー材をつけて非液状化層に定着する等があるが、施工に当たって道路交通上の障害となるため、短時間に施工可能な方法が望まれている。このため、道路路面の掘削面積、掘削量を最小限とし、舗装路盤を兼ねたコンクリート押さえ版をマンホール周囲に設置して自重を大きくして、マンホール浮き上がりを防止する。
【解決するための手段】
【０００４】  本考案は、コンクリート押さえ版の平面形状は長方形として、道路幅員方向は短く、道路方向に長くする、版厚は所定重量を得るための厚さとし、舗装路盤を兼ねた構造とする。コンクリート押さえ版は中心部にマンホール斜壁管の外径に隙間を加えた直径の円形孔を有している。コンクリート押さえ版を設置後、版上面には砕石・舗装を施工するので、版にかかる重量は大きくなり、地震時の地盤液状化によるマンホールの浮き上がりを防止できる。
【考案の効果】
【０００５】  本案によれば、コンクリート押さえ版とその上面の砕石・表面舗装の重量は、地震時に地盤液状化によるマンホールの浮き上がり力に対する抑止力として作用する。コンクリート押さえ版は表面舗装、上層路盤の下面に設置する。設置面の深度は浅く、道路の幅員方向に短く、道路方向に長い平面形状とするので、道路掘削面積は少さく工事は短時間に施工できる。このため交通規制は最小限となる。また、コンクリート押さえ版は剛性があり路盤材を兼ねるので、工事後の舗装面の沈下がなく道路の維持が容易である。
【考案を実施するための最良の形態】
【０００６】  コンクリート押さえ版を設置する路面を所定の平面形状、深度で掘削を行う、ついでコンクリート押さえ版をマンホールの周囲に設置する。マンホール斜壁管径とコンクリート押さえ版の孔径との隙間にはアスファルト系充填材を注入する。アスファルト系充填材は地震時には剛な力学性状をしめし、長期的な沈下には柔軟に作用する。掘削した押さえ版の上面に所定厚の砕石を入れ上層路盤とし、この上に表層舗装する。
【実施例】
【０００７】  以下添付図に従い実施例を説明する。
図１［Ａ］は既設マンホールの縦断面図を示し１ａはマンホール蓋受け枠、１ｂは斜壁管、１ｃは直壁管、２はマンホール蓋、４は場所打ちコンクリート底版である。周辺地盤は図１［Ｂ］に示すように表層舗装９ａ，上層路盤９ｂ，下層路盤９ｃの下は液状化層９ｄよりなる。
コンクリート押さえ版１０をマンホール斜壁管１ａの所定深さに設置し、マンホール斜壁管とコンクリート押さえ版との隙間にはアスファルト系充填材１２ａ，１２ｂを注入する。．その後、［Ｃ］に示すように押さえ版の側面部を砕石９ｃで、コンクリート押さえ版１０の上面を砕石９ｂで埋め戻して路盤とし，表層舗装９ａ，を行い完成する．
図２［Ａ］はコンクリート押さえ版１０の設置を示す平面図、図２［Ｂ］は二分割のコンクリート押え版１０ａを連結板１３ａで一体にした状況を示す平面図。マンホール斜壁管１ｂとコンクリート押さえ版１０、二分割コンクリート押さえ版１０ａ相互の隙間には、それぞれアスファルト系充填材１２ａ，１２ｂ，１２ｃを注入する。
【図面の簡単な説明】
【０００８】
【図１】［Ａ］は図２［Ａ］の１−１方向のマンホール縦断面図、［Ｂ］はマンホール周辺の土質柱状図、［Ｃ］はコンクリート押さえ版端部の拡大断面図
【図２】［Ａ］は図１［Ａ］のＩＩ−ＩＩ方向のコンクリート押さえ版の平面図。［Ｂ］はコンクリート押さえ版を二分割した場合の平面図である。
【図３】［Ａ］は二分割コンクリート押さえ版の連結板を示す拡大平面図  ［Ｂ］は同拡大断面図
【符号の説明】
【０００９】  １ａ  マンホール受け枠体
１ｂ  マンホール斜壁管
１ｃ  マンホール直壁管
２    マンホール蓋
３    底版
４    場所打ちコンクリート底版
５    基礎栗石
６    下水管
７    下水路
８    地下水位
９ａ  表層舗装
９ｂ  上層路盤
９ｃ  下層路盤
９ｄ  液状化層
１０    コンクリート押さえ版
１０ａ  二分割のコンクリート押さえ版
１１    コンクリート押さえ版側面の突起
１２ａ  マンホール斜壁管の直壁管とコンクリート押さえ版の隙間充填材
１２ｂ  マンホール斜壁管とコンクリート押さえ版の隙間充填材
１２ｃ  二分割コンクリート押さえ版の隙間充填材
１３ａ  埋め込みボルト
１３ｂ  連結版
１３ｃ  ナット
【図１】
0003147626.tif 000003
【図２】
0003147626.tif 000004
【図３】
0003147626.tif 000005
(57)【要約】      （修正有）【課題】ＬＥＤライトを組み合わせたプリザーブドフラワーアレンジメントを提供する。【解決手段】生花にプリザーブド加工という特殊な加工を施し、生花のみずみずしさや風合いを長期に保つことができるプリザーブドフラワーアレンジメントの花びらの下、花と花との空間に乾電池を使用し発熱性が非常に低いＬＥＤライトを取り付けた。プリザーブドフラワーアレンジメントは、従来プリザーブドフラワーを器や花そのモノに手を加え楽しむことしかできなかったが、今回ＬＥＤライトを取り付けることにより照明効果をデザインに加えることができた。ＬＥＤライトは発熱性が低いので花にダメージがない。ライトをつける前のデザインと光をつけた後のデザインと二通り楽しむことができる。【選択図】図１
0003147622.tif 000002
【実用新案登録請求の範囲】
【請求項１】
生花にプリザーブド加工という特殊な加工を施し、生花のみずみずしさや風合いを長期間保つことができるプリザーブドフラワーアレンジメントの花びらの下、花と花の空間に乾電池を使用し発熱性が非常に低いＬＥＤライトを取り付けた商材の技術保全。
【考案の詳細な説明】
【技術分野】
【０００１】
本考案はプリザーブドフラワーアレンジをアレンジバリエーションを増やすための手段に関する。
【背景技術】
【０００２】
プリザーブドフラワーアレンジの分野では応用がないＬＥＤライトの分とコラボレーションすることにより可能になった。
【考案の開示】
【考案が解決しようとする課題】
【０００３】
この商材を販売するにあたり、類似品などがでまわり技術の低下になる。
【課題を解決するための手段】
【０００４】
生花にプリザーブド加工という特殊な加工を施し、生花のみずみずしさや風合いを長期
保つことができるプリザーブドフラワーアレンジメントの花びらの下、花と花の空間に
乾電池を使用し発熱性が非常に低いＬＥＤライトを取り付けた商材の技術保全。
【考案の効果】
【０００５】
プリザーブドフラワーアレンジメントは、従来プリザーブドフラワーを器や花そのモノ
に手を加え楽しむことしかできなかったが、今回ＬＥＤライトを取り付けることにより照明効果をデザインに加えることができた。ＬＥＤライトは発熱性が低いので花にダメージがない。ライトをつける前のデザインと光をつけた後のデザインと二通り楽しむことができる。
【考案を実施するための最良の形態】
【０００６】
プリザーブドフラワーアレンジメントの専門家とＬＥＤライトに関する専門家のコラボレーションによる考案である。販売窓口に関しては、販売経路をすでに所有するプリザーブドフラワーアレンジメントの専門家が請け負う。
【図面の簡単な説明】
【０００７】
【図１】ＬＥＤライトを取り付けたプリザーブドフラワーアレンジの正面図面である。
【図１】
0003147622.tif 000003
【手続補正書】
【提出日】平成20年10月28日(2008.10.28)
【手続補正１】
【補正対象書類名】実用新案登録請求の範囲
【補正対象項目名】全文
【補正方法】変更
【補正の内容】
【実用新案登録請求の範囲】
【請求項１】
生花を有機溶剤を用いて脱水、脱色し、続けて保存液となる不揮発性溶液を用いて水分と置換し、着色料も用いて着色させて後乾燥させて花がプリザーブドフラワーであり、ＬＥＤは発光ダイオードのことで、順方向に電圧を加えた際に発光する半導体素子のことであり、また、その特性をいかし、生花でも水分補給が不要であるプリザーブドフラワーのアレンジメントのなかに入れて、花びらが透ける光の美しさを活かせ、プリザーブドフラワーのデザインの幅を広げることを特徴としたＬＥＤライトを組み合わせたプリザーブドフラワーアレンジメント。
(57)【要約】      （修正有）【課題】省電力型でありながら非常に明るく長寿命で紫外線や錆・塩害に強い小型軽量一体型屋外汎用ライトを提供する。【解決手段】ＡＢＳ樹脂製本体ケース４内に直流電源仕様のＨＩＤのバラスト３を収納し、バーナー２をＡＢＳ樹脂製リフレクター本体１の側面から挿入固定する事により小型一体型化・省エネルギー化・高効率化を実現する。また、設置も特別の技術を必要としない。【選択図】図１
0003147621.tif 000002
【実用新案登録請求の範囲】
【請求項１】
直流電源仕様（９Ｖ〜３６Ｖ）のＨＩＤ（Ｈｉｇｈ  Ｉｎｔｅｎｓｉｔｙ  Ｄｉｓｃｈａｒｇｅｄ  Ｌａｍｐ  以下ＨＩＤという）のバラスト（電源供給用インバーター  以下バラストという）をＡＢＳ樹脂製のライト本体ケース内に収納（ＡＢＳ樹脂製リフレターの外側後部に隙間を設けて取り付けることでバラストに対する熱対策をする）した小型軽量一体型で取り付け場所を限定しない屋外汎用ライト。
【請求項２】
ＨＩＤのバーナー（省電力放電管  以下バーナーという）をＡＢＳ樹脂製リフレクターの側面から挿入し固定することで小型化した独自の構造。
【考案の詳細な説明】
【技術分野】
【０００１】本考案は、直流電源仕様の小型船舶や建設車両・農作業用車両における夜間作業用のＨＩＤを使用した省電力型でありながら非常に明るく長寿命で紫外線や錆・塩害に強い小型軽量一体型屋外汎用ライトである。
【背景技術】
【０００２】従来は、取り付け場所を限定しない、直流電源仕様のＨＩＤ小型軽量一体型屋外汎用ライトはなかったため、多数の汎用ライトを使用していた。
【考案の開示】
【考案が解決しようとする課題】
【０００３】従来の直流電源で使用する小型軽量一体型屋外汎用ライトはハロゲン球等のようにフィラメントを使用している為、消費電力も大きく球切れの心配も有った。蛍光灯を使用して消費電力を抑えた物もあるが、明るさや耐震性が低く屋外での使用、特に小型船舶のような海上での過酷な環境下で使用するには不向きであった。本考案は、この課題を解消するために小型一体型・省エネルギー・高効率を実現するために開発されたものである。
【課題を解決するための手段】
【０００４】ＡＢＳ樹脂製本体ケース（４）内に直流電源仕様のＨＩＤのバラスト（３）を収納し、バーナー（２）をＡＢＳ樹脂製リフレクター本体（１）の側面から挿入固定する事により本体を薄型構造にし外部に露出されるのは、電源接続ケーブル（７）だけであるため取り付け場所を限定せず、簡単に設置できる。
【考案の効果】
【０００５】ＨＩＤを使用した一体型屋外汎用ライトは、従来のハロゲン球を使用した屋外作業灯に比べ明るさは約２倍から３倍、寿命は約５倍、消費電力は約５０％から６３％と省電力を実現し、なおかつ一体型のため錆、塩害にも強く、夜間作業の安全性と作業効率を向上させることが出来る一体型屋外汎用ライトを考案した。
又、省電力を実現出来たことによりバッテリーへの負担を軽減できるため、結果的にエンジンへの負担も軽減され、燃料消費も抑えることが可能となりＣＯ２の排出量も減らすことが出来、省エネルギーにも大きく貢献する。
【考案を実施するための最良の形態】
【０００６】本考案は、小型船舶（プレジャーボート等）の限られた電力設備で従来の作業ライトに比べ消費電力を約５０％から６３％に抑え明るさを２倍から３倍確保する事が出来る。また、ライト本体にバラス（）を収納することで塩害対策を十分なものとしながら、リフレクター外側後部に間隔（）を設け取り付けることで、汎用バラスとの使用可能温度（１０５℃）以下に抑えることが出来る。
バーナーを側面から挿入し取り付けることで、後方からの挿入取り付けよりも照射面を均一の明るさにする事が出来、上記の間隔（）を設けても大きさを最小限にする事が出来る。ＡＢＳ樹脂ケースにＨＩＤシステムを一体化（）したことで、通常の直流電源配線で接続でき設置場所を限定することも無く取り付けも簡単で、取り付け部分（）は従来の作業ライト取り付けステーとの互換性もある。
【産業上の利用可能性】
【０００８】本考案ライトは汎用性が非常に高く、小型船舶だけでは無く建設車両や農作業用車両等の夜間屋外作業を行う時に、電力設備を追加することなく使用する事が出来る。また、バッテリー等の直流電源の確保が可能であれば、住宅街等での夜間作業も騒音を出さずにライトを長時連続して間使用することが出来る。
省エネルギーで高効率・長寿命で・紫外線や錆・塩害に強い一体型汎用ライトは地球環境問題にも有効である。
【図面の簡単な説明】
【０００９】
【図１】一体型汎用屋外ライトの断面図である
【図２】一体型汎用屋外ライトの正面図である
【図３】一体型汎用屋外ライトの立体図である
【符号の説明】
【００１０】１  リフレクター
２  バーナー
３  バラスト
４  本体ケース
５  前面レンズ
６  金具接続部
７  電源ケーブル
【図１】
0003147621.tif 000003
【図２】
0003147621.tif 000004
【図３】
0003147621.tif 000005
【手続補正書】
【提出日】平成20年10月2日(2008.10.2)
【手続補正１】
【補正対象書類名】実用新案登録請求の範囲
【補正対象項目名】全文
【補正方法】変更
【補正の内容】
【実用新案登録請求の範囲】
【請求項１】
直流電源仕様のＨＩＤのバラストをＡＢＳ樹脂製のライト本体ケース内に収納した小型軽量一体型で取り付け場所を限定しない屋外汎用ライト。
【請求項２】
ＨＩＤのバーナーをＡＢＳ樹脂製リフレクターの側面から挿入し固定することで小型化した請求項１記載の屋外汎用ライト。